(57)【要約】【課題】傾いた吊上げ対象物を吊り上げても、その対象物の重心バランスを自動的にとることが可能な吊り具を提供する。【解決手段】吊り具１０は、回転軸１４が水平面内の互いに異なる方向を向き、上下に並ぶように配置された２個の滑車１２と、各滑車１２に掛けられ、両端が吊上げ対象物に接続されるロープ１８とを備える。また好ましくは、回転軸１４は、それらを平面視したときに互いに略直交する。【選択図】図１
2007331866.tif 000002
【特許請求の範囲】
【請求項１】
吊上げ対象物を吊持するための吊り具であって、
回転軸が水平面内の互いに異なる方向を向き、上下に並ぶように配置された複数の滑車と、
各滑車に掛けられ、両端が前記吊上げ対象物に接続される索体とを備えることを特徴とする吊り具。
【請求項２】
２つの前記滑車を備え、それらの回転軸を平面視したときに互いに略直交していることを特徴とする請求項１記載の吊り具。
【請求項３】
前記複数の滑車を鉛直軸周りに回転自在に連結する連結機構を備えることを特徴とする請求項１又は２に記載の吊り具。
【発明の詳細な説明】
【技術分野】
【０００１】
本発明は、吊上げ対象物を吊上げる際に用いる吊り具に係り、特に傾斜した吊上げ対象物を吊り上げるのに好適な吊り具に関する。
【背景技術】
【０００２】
電柱は、例えば車両の衝突等により折損することがあり、その場合、電柱上部に取付けられた変圧器が傾く。変圧器の内部には絶縁油が充填されているので、傾いたまま放置すると内部の絶縁油が漏出してしまう。このため、電柱の折損等により傾いた変圧器は速やかに撤去することが必要である。
【０００３】
図７は、傾いた電柱３０に設置される変圧器３２を撤去すべく行われる吊り上げ作業の一例を示す図である。  
同図に示すように、傾いた変圧器３２の吊り上げには、通常、クレーンなどの重機から吊り下げられたフック２４を用いて一本のロープ３６により玉掛けを行い、目測でバランスを確認しながら吊り上げる方法をとる。
【０００４】
また、従来より、傾斜して設置される構造物を吊上げるための吊上げ装置も提案されている（例えば、特許文献１）。
【０００５】
特許文献１には、吊り荷を支持するに足りる剛性を有する天秤と、この天秤から吊り下げられ、吊り荷に接続される複数の吊り荷ワイヤーと、天秤の一端部と中央部とに掛け渡された吊上げワイヤーと、この吊上げワイヤーの中間部を支承する滑車と、重機から繰り出されてこの滑車を吊り上げる第１のフックと天秤の他端部間とに緩く連結される控えワイヤーと、重機から第１のフックとは別に繰り出され、天秤の他端部を吊り下げて天秤を傾動するための第２のフックとを備える吊り上げ装置が開示されている。これは、変形し易い大型構造物の据え付け作業に際して、大型構造物を変形させることなく、傾斜させて吊り上げるためのものである。
【特許文献１】特開平８−１９８５７５号公報
【発明の開示】
【発明が解決しようとする課題】
【０００６】
しかしながら、図７に示すような一本のロープを用いた玉掛けによる吊り上げ方法では、一旦、変圧器３２へロープ３６を設置し固定しまうと、バランスの調節が困難であり、もしバランスが良くなければ、ロープ３６を緩めて再び設置し直さなければならないため、作業効率が悪い。また、万が一、バランスの目測を誤ったまま吊り上げた場合には、変圧器３２がバランスを崩して一層傾いてしまい、その中に残存する絶縁油３４の漏出を増大させてしまうおそれがある。
【０００７】
また、特許文献１に記載される吊り上げ装置を用いた吊り上げ作業では、構造物を吊り上げた時に、吊り荷ワイヤーが吊り下げられる天秤に沿った直線上の構造物の傾きは調節できるものの、その他の方向の傾きは調節できない。このため、例えば、吊り上げ時に、天秤に沿った直線上以外で重心のバランスが偏ってしまった場合には、構造物が一層傾いたり、転倒したりするおそれがある。さらに、特許文献１に記載される吊り上げ装置では、構造物の吊り上げや傾きを、２つのフックを移動操作することによって調節するため、これらのフックを吊り下げる２台の重機の連携した操作に熟練を要するうえ、２つのフックの操作に、クレーンなどの大型重機を２台用意する必要があるため、作業スペースに制限がある場合には重機を設置できなかったり、また、設置できるとしても重機２台分の使用コストが発生したりする。
【０００８】
本発明は、上記の点に鑑みてなされたものであり、傾いた吊上げ対象物を吊り上げても、その対象物の重心バランスを自動的にとることが可能な吊り具を提供することを目的とする。
【課題を解決するための手段】
【０００９】
上記の目的を達成するため、本発明は、吊上げ対象物を吊持するための吊り具であって、
回転軸が水平面内の互いに異なる方向を向き、上下に並ぶように配置された複数の滑車と、
各滑車に掛けられ、両端が前記吊上げ対象物に接続される索体とを備えることを特徴とする（第１の発明）。
【００１０】
本発明による吊り具によれば、その両端部を吊上げ対象物と接続して、対象物を吊り上げる索体（例えば、ロープ）を、滑車に架ける構成であるために、対象物を吊り上げた際に、対象物のバランスが取れた状態になるよう索体が自動的に移動する。したがって、本発明によれば、傾いた状態の吊上げ対象物を吊上げても、バランスをとる操作を何ら行うことなく、吊上げ対象物をバランスの良い姿勢で吊上げることができる。
【００１１】
また、この滑車に架けられる複数の索体が、鉛直軸周りに互いに異なる方向に設けられる構成であるために、吊り上げられる吊上げ対象物の複数方向の姿勢を自動的に調節することができる。
【００１２】
また、重機などから吊り下げられる１つのフック等に取り付けて使用できるために、複数の重機を用いて傾きを調節する方法と比べて、重機間の熟練を要する連携操作を行う必要もなく、１台の重機で作業可能であるため、作業スペースに制限が生じたり、複数分の機械の使用コストが発生したりすることもない。
【００１３】
第２の発明は、第１の発明において、２つの前記滑車を備え、それらの回転軸を平面視したときに互いに略直交していることを特徴とする。
【００１４】
第３の発明は、第１又は２の発明において、前記複数の滑車を鉛直軸周りに回転自在に連結する連結機構を備えることを特徴とする。
【００１５】
本発明による吊り具によれば、複数の滑車が鉛直軸回りに回転自在に連結する構成であるために、これら滑車に架けられる複数の索体の吊上げ対象物への接続位置の自由度が広がる。また、索体が屈曲することなく滑車に架かる構造となるため、より安定的して吊上げ対象物を吊り上げることができるとともに、滑車と索体との摩擦を低減し、索体の破損を防止できる。
【発明の効果】
【００１６】
本発明によれば、傾いた吊上げ対象物を吊り上げても、その対象物の重心バランスを自動的にとることが可能な吊り具を提供できる。
【発明を実施するための最良の形態】
【００１７】
以下、本発明の好ましい第一の実施形態について図面に基づき詳細に説明する。
【００１８】
下記に示す説明において、図７と同様の構成を用いたものと対応する部分には同一の符号を付して説明を省略する。
【００１９】
図１は、第一の実施形態に係る吊り具１０の一例を示す図であり、同図（ａ）は正面図と、同図（ｂ）は側面図である。
【００２０】
図１に示すように、吊り具１０は、２個の滑車１２と、これら滑車１２の回転軸１４を支持するフレーム１６と、滑車１２に夫々架けられる２本のロープ１８と、シャックル２０とからなる。
【００２１】
フレーム１６は、２個の滑車１２が上下に並び、かつ、２個の滑車１２の回転軸１４の軸方向が水平方向を向き、好ましくはこれらの回転軸１４が平面視したときに互いに直交するように、滑車１２の回転軸１４を支持する。
【００２２】
ロープ１８は、夫々の滑車１２に架けられて、その両端部に設けられた輪状部１８ａにて吊上げ対象物に接続される。
【００２３】
シャックル２０は、フレーム１６の上部に設けられ、クレーンなどの重機から吊り下げられるフック２４などの連結器具にこのシャックル２０を介してフレーム１６を連結できるようになっている。
【００２４】
図２は、図７に示した傾斜した電柱に設置される吊上げ対象物３２（変圧器）を、吊り具１０を用いて吊り上げる場合の作業手順の例を示す概念図である。
【００２５】
先ず、図２（ａ）に示すように、クレーンなどの重機から吊り下げられるフック２４を吊上げ対象物３２の上方近傍に移動し、吊り具１０の上部に設けられるシャックル２０をフック２４に掛ける。そして、吊り具１０のロープ１８の輪状部１８ａを吊上げ対象物３２の上部の突起部に引っ掛けるなどして接続する。なお、吊上げ対象物３２にフックやクランプなどの連結具を取り付け可能な支持部が設けられる場合には、これら支持部に連結具を用いて接続してもよい。
【００２６】
図３は、ロープ１８を吊上げ対象物３２に接続する際の、吊上げ対象物３２の上部のロープ１８の接続位置を示す平面図であり、同図（ａ）は４点掛けの場合を、同図（ｂ）は３点掛けの場合を夫々示している。
【００２７】
図３（ａ）に示すように４点掛けの場合は、２本のロープ１８を、滑車１２に架かる方向に沿うように、すなわち、吊上げ対象物３２の上方から見て十字に交差するように接続する。また、図３（ｂ）に示すように３点掛けの場合は、３点のうち１点を２本のロープ１８の共通する接続位置とし、残り２点を、夫々のロープ１８の他方の接続位置として、接続する（なお、図２では、図３（ａ）の４点掛けの場合を示している）。
【００２８】
ロープ１８の吊上げ対象物３２への接続後には、図２（ｂ）に示すように、重機ロープ２６を引き上げることによりフック２４を吊り上げ、ロープ１８に張力を加えて、吊上げ対象物３２を吊り上げる。この時、ロープ１８は滑車１２に架けられているため、吊上げ対象物３２の重心が吊り下げ点の真下にくるように、ロープ１８が方向ａに、吊上げ対象物３２の自重によって自動的に移動する。そして、吊上げ対象物３２である変圧器の重心はその中心付近にあるため、図２（ｃ）に示すように、吊り具１０は、吊上げ対象物３２を、絶縁油３４が漏出しないように直立した安定な姿勢となる。
【００２９】
以上説明したように、第一の実施形態による吊り具１０によれば、その両端部を吊上げ対象物３２と接続して吊り上げるロープ１８を、滑車１２に架ける構成であるために、傾斜した吊上げ対象物３２を吊り上げた状態でも、ロープ１８が吊上げ対象物３２の重心位置に応じて自動的に移動することで、吊上げ対象物３２を安定して直立状態で吊上げることができる。
【００３０】
また、これら滑車１２に架けられるロープ１８が、２組異なる横方向に設けられる構成であるために、吊り上げられる構造物の２方向における傾きを調節して、直立状態とすることができる。
【００３１】
また、上記のような吊上げ対象物の姿勢の調節は、ロープ１８が移動することにより自動的に行われため、ロープ１８を接続する際には、図７で示した一本のロープ３６の玉掛けのように、絶縁油３４が充填される吊上げ対象物３２の重心バランスに留意する必要はない。
【００３２】
さらに、複数の重機を用いて傾きを調節する方法と比べて、重機間の熟練を要する連携操作を行う必要もなく、１台の重機で作業可能であるため、作業スペースに制限が生じたり、複数分の機械の使用コストが発生したりすることもない。
【００３３】
なお、第一の実施形態によれば、吊り具１０が備えるロープ１８を吊上げ対象物３２の上部に設置される突起部に引っ掛けたり、取り付け支持部に連結具を使用したりするなどして接続するとしたが、突起部や取り付け支持部などがない場合には、図４に示すように、２本のロープ１８の両端の輪状部を、夫々変圧器３２の胴体に廻して接続してもよい。
【００３４】
また、第一の実施形態によれば、吊上げ対象物に変圧器３２を吊り上げる例を示したが、これに限らず、重心が中心付近にある物体であれば、この吊り具１０を用いて上記実施形態と同様に吊り上げることができる。
【００３５】
次に、本発明に係る第二の実施形態について図面に基づき詳細に説明する。
【００３６】
下記に示す説明において、第一実施形態と同様の構成を用いたものと対応する部分には同一の符号を付して説明を省略する。
【００３７】
図５は、第二の実施形態に係る吊り具４０の一例を示す図であり、同図（ａ）は正面図と、同図（ｂ）は側面図である。
【００３８】
図５に示すように、吊り具４０は、図１で示した吊り具１０のフレーム１６を、２つの滑車１２に夫々に対応して上側フレーム４２ａと、下側フレーム４２ｂとに分離し、これら上側フレーム４２ａと下側フレーム４２ｂとを、ジョイント４４により鉛直方向を回転軸として相対的に回転可能に連結している。
【００３９】
図６は、第二の実施形態に係る吊り具４０を用いた直方体状の吊上げ対象物３２を吊り上げる例を示す図であり、同図（ａ）は平面図と、同図（ｂ）は斜視図である。
【００４０】
吊り具４０は、ジョイント４４を備えることにより、例えば、図６に示すように直方体状の吊上げ対象物３２の上部頂点にロープ１８を接続して吊り上げる際に、その上面から見たときの２本のロープ１８の交差角にかかわらず、ロープ１８が滑車１２にて屈曲させずにすむため、ロープ１８によって、より安定に吊上げ対象物３２を吊り上げることができるとともに、滑車１２とロープ１８との摩擦を低減し、ロープ１８の破損を防止できる。
【００４１】
なお、第一及び第二の実施形態において、滑車１２に架けられたロープ１８が吊上げた吊上げ対象物３２がバランスのとれた姿勢になるまで移動した状態で、滑車１２の回転を止める機構を設けたり、くさび状の留め具を滑車１２とフレーム１６との隙間に差し込んだりするなどして、ロープ１８の移動を規制できるようにしてもよい。
【００４２】
また、第一及び第二の実施形態によれば、ロープ１８を２本用いて、吊上げ対象物３２に接続して吊り上げするとしたが、これに限らず、場合によっては、１本を用いるとして、２点掛けで吊り上げてもよい。この時の使用しないロープ１８は、使用するロープ１８の稼動を邪魔しないように小さくまとめて固定するなどの措置を施す。
【００４３】
また、第一及び第二の実施形態によれば、吊り具は、２組の滑車１２とロープ１８とを備える構成としたが、これに限らず、複数組による構成としてもよい。これにより、吊上げ対象物３２が重量の大きい場合においても、ロープ１８にかかる張力を複数に分散させて吊上げることができる。
【００４４】
また、第一及び第二の実施形態によれば、吊上げ対象物を吊上げる索体にロープ１８を用いたが、これに限らず、ワイヤーやチェーンなどを用いてもよい。
【図面の簡単な説明】
【００４５】
【図１】第一の実施形態に係る吊り具の一例を示す図であり、同図（ａ）は正面図と、同図（ｂ）は側面図である。
【図２】傾斜した吊上げ対象物を、第一の実施形態を用いて吊り上げる場合の作業手順の例を示す概念図である。
【図３】図２のロープを吊上げ対象物に接続する際の、吊上げ対象物の上部のロープの接続位置を示す平面図であり、同図（ａ）は４点掛けの場合と、同図（ｂ）は３点掛けの場合である。
【図４】図２のロープを吊上げ対象物の胴体に廻して接続する例を示す正面図である。
【図５】第二の実施形態に係る吊り具の一例を示す図であり、同図（ａ）は正面図と、同図（ｂ）は側面図である。
【図６】第二の実施形態に係る吊り具を用いた直方体状の吊上げ対象物３２を吊り上げる例を示す図であり、同図（ａ）は平面図と、同図（ｂ）は斜視図である。
【図７】傾いた電柱に設置される変圧器を撤去すべく行われる吊り上げ作業の一例を示す図である。
【符号の説明】
【００４６】
１０、４０  吊り具
１２  滑車
１４  回転軸
１６  フレーム
１８、３６  ロープ
２０  シャックル
２４  フック
２６  重機ロープ
３０  電柱
３２  吊上げ対象物（変圧器）
４２ａ  上側フレーム
４２ｂ  下側フレーム
４４  ジョイント
【図１】
2007331866.tif 000003
【図２】
2007331866.tif 000004
【図３】
2007331866.tif 000005
【図４】
2007331866.tif 000006
【図５】
2007331866.tif 000007
【図６】
2007331866.tif 000008
【図７】
2007331866.tif 000009